(57)【要約】      （修正有）【課題】サスペンダーや紐ループをペットの首にかけることなくスカート部またはパンツ部のずれを抑制できる為、ペットへの負担が少なく、オールインワンタイプに近い着用感を得ることができ、ファッションを楽しむことができるペット用衣服を提供する。【解決手段】ペット用衣服は、トップス部４の内側両脇に設けた接続部５，６と、パンツ部９の腰位置部分１０に設けた接続部１４またはスカート部の腰位置部分に設けた接続部を、長さ調整可能なストラップ１２で接続する構成からなり、これにより、パンツ部またはスカート部のずれを抑制する。【選択図】図１
0003190921.tif 000002
【実用新案登録請求の範囲】
【請求項１】
トップス部の内側に設けた接続部と、パンツ部の腰位置部分に設けた接続部またはスカート部の腰位置部分に設けた接続部をストラップにより接続することを特徴とするペット用衣服。
【請求項２】
トップス部の内側に設けた接続部と、パンツ部の腰位置部分に設けた接続部またはスカート部の腰位置部分に設けた接続部より、上記ストラップが着脱自在であることを特徴とする請求項１記載のペット用衣服。
【請求項３】
上記ストラップが長さ調整を可能とする素子を有する請求項１または２記載のペット用衣服。
【考案の詳細な説明】
【技術分野】
【０００１】本考案は、トップス部とパンツ部、またはトップス部とスカート部をストラップで接続することにより、パンツ部またはスカート部のずれを抑制できるようにしたペット用衣服に関するものである。
【背景技術】
【０００２】ペット用衣服はファッションを楽しむという目的だけでなく、寒さ対策、抜け毛対策、汚れ防止対策などの目的で必要とされるアイテムであり、さまざまなものが開発され、広く普及している。【０００３】パンツタイプまたはスカートタイプのペット用衣服においては、ペットの動きによって生じるずれを抑制する為に、ペットの首にサスペンダーまたは紐ループをかけて使用する必要があった。【０００４】従来のパンツタイプまたはスカートタイプのペット用衣服としては、図５に示すように、両後足挿通部７と尻尾挿通部１５と胴後部挿通部８とを有するパンツ部９と、上記パンツ部９の胴後部挿通部８の縁部に設けたウエストベルト１７と、上記ウエストベルト１７に固定した、首に吊るして上記パンツ部９を腰に固定するサスペンダー１８とよりなるパンツタイプの衣服がある。また、図６に示すように、スカート部１６の腰位置部分１０に、一本の帯状の紐部１９の一端部２０と他端部２１固定し、衣服本体から前方に伸びる半楕円形の紐ループを構成し、これを首にかけて使用するパンツタイプまたはスカートタイプの衣服がある。【０００５】上記のようなサスペンダータイプのペット用衣服としては、例えば、特許文献１があり、紐ループタイプのペット用衣服としては、例えば、特許文献２がある。
【特許文献１】特開平９−１４０２８７号公報
【特許文献２】特許公開２０１０−２２０５８３号公報
【考案の概要】
【考案が解決しようとする課題】
【０００６】しかしながら、上記特許文献１にあっては、首にかけたサスペンダーがペットにとって不快であり、肌の弱いペットはかぶれてしまうという欠点があった。また、上記特許文献２にあっては、キャミソール等の首周りの開いたトップスを上から重ねて着用した場合に、ペットの首にかけた紐ループが見えてファッション性を損ねるという欠点があり、且つ紐ループはペットの首への負担を完全に取り除くものではなかった。【０００７】本考案は前記の課題を解消するためになされたものである。
【課題を解決するための手段】
【０００８】本考案のペット用衣服は、両前足挿通部と首挿通部と胴前部挿通部とを有するトップス部の内側両脇に設けた接続部と、両後足挿通部と胴後部挿通部とを有するパンツ部の腰位置部分に設けた接続部または両後足と胴後部を挿通するスカート部の腰位置部分に設けた接続部を長さ調整可能なストラップで接続することにより、パンツ部またはスカート部のずれを抑制する。【０００９】また、上記トップス部の内側両脇の接続部と、上記パンツ部の腰位置部分に設けた接続部または上記スカート部の腰位置部分に設けた接続部より、上記ストラップが、ボタン、ホック、スナップ等で着脱自在であることを特徴とする。【００１０】また、本考案のパンツ部またはスカート部に、尻尾挿通部を更に設けたことを特徴とする。
【考案の効果】
【００１１】本考案のペット用衣服によれば、サスペンダーや紐ループをペットの首にかけることなくスカート部またはパンツ部のずれを抑制できる為、ペットへの負担が少ない。またトップスの内側両脇とスカート部またはパンツ部とをストラップにより接続することで、スカート部またはパンツ部のずれを抑制する力がトップスの前身ごろ全体に分散されて加わることになり、オールインワンタイプのペット服に近い着用感を得ることができる。また、キャミソール等の首周りの開いたトップスを上から重ねて着用した場合にも、ペットの首にかけたサスペンダーや紐が存在しない為ファッション性を損ねることがない。また、ストラップは着脱自在である為、トップスとスカートまたはパンツ単体での着用や、組み合わせてファッションを楽しむことができる。
また、汚れたアイテムだけ洗濯でき、また買い替え可能な為、衛生的かつ経済的である。また、固体差が大きいペットでもストラップの長さ調整が可能な為、パンツ部またはスカート部の着丈を個々のペットに合わせて調整することが可能である。
【図面の簡単な説明】
【００１２】
【図１】本考案のペット用衣服のパンツ部実施例の説明用平面図である。
【図２】本考案のペット用衣服をペットに着せた状態を示す説明用側面図である。
【図３】本考案のペット用衣服のストラップの説明用平面図である。
【図４】本考案のペット用衣服のスカート部実施例の説明用平面図である。
【図５】従来のペット用衣服をペットに着せた状態を示す説明用側面図である。
【図６】従来の他のペット用衣服をペットに着せた状態を示す説明用平面図である。
【考案を実施するための形態】
【００１３】本考案のペット用衣服は、図１〜図３に示すように、両前足挿通部１と首挿通部２と胴前部挿通部３とを有するトップス部４の内側左脇に設けた接続部５、トップス部４の内側右脇に設けた接続部６および両後足挿通部７と胴後部挿通部８とを有するパンツ部９の腰位置部分１０に設けた接続部１１を、ストラップ１２で接続することを特徴とする。
【００１４】また、上記トップス部４の内側左脇に設けた接続部５、上記トップス部４の内側右脇に設けた接続部６および上記パンツ部９の腰位置部分１０に設けた接続部１１より、上記ストラップ１２が、ボタン、ホック、スナップ等で着脱自在であることを特徴とする。
【００１５】また、アジャスター１３によりストラップ１２の長さの調整を可能とし、パンツ部９の着丈を個々のペットに合わせて調整することを可能とする。
【００１６】また、長さ調整可能なストラップ１２の素材は伸縮性のある紐、伸縮性のあるレース、帯状の紐、ベルト等よりなる。
【００１７】また、上記パンツ部９の腰位置部分１０の両端に設けた接続部１４は、ボタン、ホック、スナップ、マジックテープ（登録商標）等の接続部素子よりなる。
【００１８】また、上記パンツ部９の尻尾挿通部１５を省略せしめてもよい。
【００１９】また、上記パンツ部９の代わりに図４に示すように、両後足と胴後部を挿通するスカート部１６を用いてもよく、また、このスカート部１６に尻尾挿通部を設けてもよい。
【符号の説明】
【００２０】１    両前足挿通部
２    首挿通部
３    胴前部挿通部
４    トップス部
５    左脇に設けた接続部
６    右脇に設けた接続部
７    両後足挿通部
８    胴後部挿通部
９    パンツ部
１０  腰位置部分
１１  腰位置部分に設けた接続部
１２  ストラップ
１３  アジャスター
１４  腰位置部分の両端に設けた接続部
１５  尻尾挿通部
１６  スカート部
１７  ウエストベルト
１８  サスペンダー
１９  帯状の紐部
２０  帯状の紐部の一端部
２１  帯状の紐部の他端部
【図１】
0003190921.tif 000003
【図２】
0003190921.tif 000004
【図３】
0003190921.tif 000005
【図４】
0003190921.tif 000006
【図５】
0003190921.tif 000007
【図６】
0003190921.tif 000008